(57)【要約】【課題】屋根設置部材の桁方向側部の防水性を確保すると共に、該屋根設置部材を桁方向に位置調整可能とする屋根葺き構造を提供する。【解決手段】傾斜屋根１の屋根面２に、雨水を処理する働き部５、７を有する屋根材３と、該屋根材３に代わって屋根面を覆う屋根設置部材４とが傾斜屋根１の流れ方向と直交する桁方向に隣り合って配設され、該屋根設置部材４の桁方向の両側部には、屋根材との間に役物部材２０Ｌ、２０Ｒが介在しており、該役物部材２０Ｌ、２０Ｒは、屋根材３と屋根設置部材４の間の屋根面を覆う役物本体２１Ｌ、２１Ｒと、該役物本体２１Ｌ、２１Ｒと屋根設置部材４の間の隙間に流れ込む雨水を受ける樋２２Ｌ、２２Ｒとを備え、該樋２２Ｌ、２２Ｒは、屋根設置部材４の桁方向の位置調整を可能とすべく屋根設置部材４と屋根面２の対向面間に延伸されて屋根設置部材４と重合するアンダーラップ部２６Ｌ、２６Ｒを有している。【選択図】図６
2006104852.tif 000002
【特許請求の範囲】
【請求項１】
傾斜屋根の屋根面に、雨水を処理する屋根材と、該屋根材に代わって屋根面を覆う屋根設置部材とが傾斜屋根の流れ方向と直交する桁方向に隣り合って配設され、該屋根設置部材の桁方向の両側部若しくは一方の側部には、屋根材との間に役物部材が介在している屋根葺き構造であって、
該役物部材は、前記屋根材と屋根設置部材の間の屋根面を覆う役物本体と、該役物本体と屋根設置部材の間の隙間に流れ込む雨水を受ける樋とを備え、該樋は、屋根設置部材の桁方向の位置調整を可能とすべく屋根設置部材と屋根面の対向面間に延伸されて屋根設置部材と重合するアンダーラップ部を有していることを特徴とする屋根葺き構造。
【請求項２】
前記屋根設置部材は、屋根材の流れ方向の長さよりも大きい流れ方向の長さを有し、前記役物部材は、屋根設置部材及び複数段の屋根材の間に介在していることを特徴とする請求項１に記載の屋根葺き構造。
【請求項３】
前記複数段の屋根材は、流れ方向に隣り合う屋根材同士が桁方向に順次ずれるように配設されており、前記役物本体は、屋根材側の側縁部が前記複数段の屋根材のずれに対応して凹凸状に形成されていることを特徴とする請求項２に記載の屋根葺き構造。
【請求項４】
前記屋根材は、屋根面を覆って雨水を処理する働き部を備え、該働き部は、流れ方向及び桁方向に所定の寸法を有し、前記屋根設置部材は、屋根材の働き部の桁方向の幅の（１／２）×ｎ倍の桁方向の幅を有し、前記役物本体は、屋根材の働き部の桁方向の幅の１／２若しくは１／４の桁方向の幅を有していることを特徴とする請求項１又は請求項２に記載の屋根葺き構造。
【請求項５】
前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されていることを特徴とする請求項１乃至請求項３の何れかに記載の屋根葺き構造。
【請求項６】
傾斜屋根の屋根面に、雨水を処理する屋根材と、該屋根材に代わって屋根面を覆う屋根設置部材とが傾斜屋根の流れ方向と直交する桁方向に隣り合って配設され、該屋根設置部材の桁方向の両側部若しくは一方の側部には、屋根材との間に役物部材が介在している屋根葺き構造であって、
該役物部材は、前記屋根材と屋根設置部材の間の屋根面を覆う役物本体を備えると共に、役物本体と屋根設置部材の間の隙間に流れ込む雨水を受ける樋を備え、前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されていることを特徴とする屋根葺き構造。
【請求項７】
前記役物本体の屋根材側側部は、その上面が隣接する屋根材の役物部材側側部の上面と略面一となる高さを有していることを特徴とする請求項１乃至請求項６の何れかに記載の屋根葺き構造。
【請求項８】
前記役物部材は、隣接する屋根材と役物本体の間の隙間から屋根面への雨水の浸入を防止するように屋根材の役物部材側側部と嵌合する嵌合防水部を備えていることを特徴とする請求項１乃至請求項７の何れかに記載の屋根葺き構造。
【請求項９】
前記屋根材は、桁方向の一側に樋部を有すると共に他側に桁方向に隣接する屋根材の樋部を上側から覆う覆い部を有し、前記役物部材の前記嵌合防水部は、屋根材の樋部を上側から覆うように該樋部と嵌合していることを特徴とする請求項８に記載の屋根葺き構造。
【請求項１０】
前記屋根材は、桁方向の一側に樋部を有すると共に他側に桁方向に隣接する屋根材の樋部を上側から覆う覆い部を有し、前記役物部材の前記嵌合防水部は、屋根材の覆い部の下側に回り込むように該覆い部と嵌合していることを特徴とする請求項８に記載の屋根葺き構造。
【請求項１１】
傾斜屋根の屋根面に桁方向に隣り合うように設置された屋根材と屋根設置部材との間に介在される役物部材であって、
前記屋根材と屋根設置部材の間の屋根面を覆う役物本体と、該役物本体と屋根設置部材の間の隙間に流れ込む雨水を受ける樋とを備え、該樋は、屋根設置部材の桁方向の位置調整を可能とすべく屋根設置部材と屋根面の対向面間に延伸されて屋根設置部材と重合するアンダーラップ部を有していることを特徴とする役物部材。
【請求項１２】
傾斜屋根の屋根面に桁方向に隣り合うように設置された屋根材と屋根設置部材との間に介在される役物部材であって、
前記屋根材と屋根設置部材の間の屋根面を覆う役物本体を備えると共に、役物本体と屋根設置部材の間の隙間に流れ込む雨水を受ける樋を備え、前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されていることを特徴とする役物部材。
【発明の詳細な説明】
【技術分野】
【０００１】
本発明は、住宅等の建物における切り妻屋根等の傾斜屋根の屋根面に屋根瓦等の屋根材と太陽電池モジュール等の屋根設置部材とを敷き列べて構成される屋根葺き構造及び屋根材と屋根設置部材との間に介在する役物部材に関するものである。
【背景技術】
【０００２】
従来、住宅等の建物における切り妻屋根等の傾斜屋根の屋根面に、屋根瓦等の屋根材と太陽電池モジュール等の屋根設置部材を敷き列べて構成される屋根葺き構造が知られている。
該屋根葺き構造においては、所定の配列パターンを有して敷き列べられる屋根材の中途部に屋根設置部材が設置されており、屋根面の流れ方向と直交する桁方向の幅が異なる屋根材と屋根設置部材とを桁方向に隣り合わせて配設すると、屋根材の配列パターンが屋根設置部材の一方の側部にてずれてしまう場合がある。ここで、現場にて該屋根設置部材の一方の側部に配設される屋根材を適当な幅に切断する等することによって上述の如きずれを補正することは困難であり、また、作業者の熟練を要する。
【０００３】
また、桁方向に隣接する屋根材間には、該屋根材間の防水性を確保するための嵌合防水構造が桁方向に隣接する屋根材どうしを嵌合させることにより形成されるが、屋根材と屋根設置部材の間では該嵌合防水構造を形成することができないため、屋根材と屋根設置部材の間の防水性が確保されず、該屋根材と屋根設置部材の間から屋根面に雨水が浸入する虞があった。
そこで、特許文献１の太陽電池モジュールの敷設方法においては、桁方向に隣り合う太陽電池モジュールと瓦の間に防水部材を介在させる構成が提案されている。
【０００４】
該防水部材は、太陽電池モジュールの敷設によって生じる瓦のずれを補正する桁方向の幅を有すると共に、瓦側側部に樋部が設けられると共に太陽電池モジュール側側部の開口部が設けられているものであって、樋部が瓦の防水部材側側部の下側に廻り込み、開口部が太陽電池モジュールの樋部を上側から覆うことにより、瓦と防水部材の間の防水性が確保されると共に、太陽電池モジュールと防水部材の間の防水性が確保されるのである。
【特許文献１】特開２００２−１８０６０３号公報（第１２図等）
【発明の開示】
【発明が解決しようとする課題】
【０００５】
しかしながら、上記敷設方法は、防水部材の桁方向の幅を瓦のずれに対応させた大きさに形成することにより前記瓦のずれを補正するものであって、このような敷設方法においては、瓦のずれの大きさに応じた複数種類の防水部材が必要となり、製造コストが増大するばかりでなく、太陽電池モジュールを桁方向に位置調整することにより解消される程度の僅かな瓦のずれに対応できない問題がある。
また、太陽電池モジュールの樋部を防水部材の開口部によって覆うことにより太陽電池モジュールと防水部材間の防水性が確保されているが、このような防水構造は当該太陽電池モジュールと防水部材との間のみによって成立するものであって、例えば樋部を備えていない別種の太陽電池モジュールや他の屋根設置部材との間で上述の如き防水構造を形成することができない。このため、設置すべき屋根設置部材に応じた複数種類の防水部材が必要となり、これによっても製造コストの増大を招いてしまう。
【０００６】
そこで、本発明は、上記問題点に鑑み、屋根設置部材の桁方向側部の防水性を確保すると共に、該屋根設置部材を桁方向に位置調整可能とする屋根葺き構造を提供するようにしたものである。
また、本発明は、上記問題点に鑑み、屋根設置部材の桁方向側部の防水性を確保すると共に、該屋根設置部材を桁方向に位置調整可能とする役物部材を提供するようにしたものである。
【課題を解決するための手段】
【０００７】
この技術的課題を解決するための本発明の技術的手段は、傾斜屋根の屋根面に、雨水を処理する屋根材と、該屋根材に代わって屋根面を覆う屋根設置部材とが傾斜屋根の流れ方向と直交する桁方向に隣り合って配設され、該屋根設置部材の桁方向の両側部若しくは一方の側部には、屋根材との間に役物部材が介在している屋根葺き構造であって、
該役物部材は、前記屋根材と屋根設置部材の間の屋根面を覆う役物本体と、該役物本体と屋根設置部材の間の隙間に流れ込む雨水を受ける樋とを備え、該樋は、屋根設置部材の桁方向の位置調整を可能とすべく屋根設置部材と屋根面の対向面間に延伸されて屋根設置部材と重合するアンダーラップ部を有している点にある。
【０００８】
なお、本発明において、流れ方向とは傾斜屋根の棟側端部から軒側端部に向かう方向のことを示し、桁方向とは該流れ方向及び傾斜屋根の屋根面の法線方向と直交する方向のことを示しており、上下方向とは屋根面の法線方向のことを示している。
上記技術的手段においては、役物部材の樋が屋根設置部材の役物部材側の側部の下側を覆って延伸されているため、樋は、屋根設置部材の役物本体側の形状に拘わらず役物本体と屋根設置部材との間の隙間に流れ込む雨水を受けることができ、これによって、前記隙間より屋根面に雨水が浸入することはない。
【０００９】
また、樋には屋根設置部材と重合するアンダーラップ部が設けられているので、該アンダーラップ部との重ね代を伸縮させて屋根設置部材を桁方向に移動させることができ、これによって、屋根設置部材の桁方向の位置調整が可能となるのである。
また、前記屋根設置部材は、屋根材の流れ方向の長さよりも大きい流れ方向の長さを有し、前記役物部材は、屋根設置部材及び複数段の屋根材の間に介在していることが好ましい。
また、前記複数段の屋根材は、流れ方向に隣り合う屋根材同士が桁方向に順次ずれるように配設されており、前記役物本体は、屋根材側の側縁部が前記複数段の屋根材のずれに対応して凹凸状に形成されていることが好ましい。
【００１０】
また、前記屋根材は、屋根面を覆って雨水を処理する働き部を備え、該働き部は、流れ方向及び桁方向に所定の寸法を有し、前記屋根設置部材は、屋根材の働き部の桁方向の幅の（１／２）×ｎ倍の桁方向の幅を有し、前記役物本体は、屋根材の働き部の桁方向の幅の１／２若しくは１／４の桁方向の幅を有していることが好ましい。
なお、ｎは０以上の整数を示している。
また、前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されていることが好ましい。
【００１１】
また、本発明の他の技術的手段は、傾斜屋根の屋根面に、雨水を処理する屋根材と、該屋根材に代わって屋根面を覆う屋根設置部材とが傾斜屋根の流れ方向と直交する桁方向に隣り合って配設され、該屋根設置部材の桁方向の両側部若しくは一方の側部には、屋根材との間に役物部材が介在している屋根葺き構造であって、
該役物部材は、前記屋根材と屋根設置部材の間の屋根面を覆う役物本体を備えると共に、役物本体と屋根設置部材の間の隙間に流れ込む雨水を受ける樋を備え、前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されている点にある。
【００１２】
該技術的手段においては、役物部材の樋が役物本体と屋根設置部材との間に配設されるため、屋根設置部材の役物本体側の形状に拘わらず該樋が役物本体と屋根設置部材との間の隙間に流れ込む雨水を受けることとなり、これによって、前記隙間より屋根面に雨水が浸入することはない。
また、第１覆い体と第２覆い体を摺動させて役物本体を桁方向に伸縮させることにより、役物本体の桁方向の幅を調整することができ、これによって、屋根設置部材と役物本体の間の隙間及び屋根材と役物本体の間の隙間を塞ぐことができ、屋根設置部材と屋根材の間の防水性の向上が図られるのである。また、役物本体を伸縮させて樋上に設置した屋根設置部材を桁方向に移動させることができ、これによって、屋根設置部材の桁方向の位置調整が可能となるのである。
【００１３】
また、前記役物本体の屋根材側側部は、その上面が隣接する屋根材の役物部材側側部の上面と略面一となる高さを有していることが好ましい。
また、前記役物部材は、隣接する屋根材と役物本体の間の隙間から屋根面への雨水の浸入を防止するように屋根材の役物部材側側部と嵌合する嵌合防水部を備えていることが好ましい。
また、前記屋根材は、桁方向の一側に樋部を有すると共に他側に桁方向に隣接する屋根材の樋部を上側から覆う覆い部を有し、前記役物部材の前記嵌合防水部は、屋根材の樋部を上側から覆うように該樋部と嵌合していることが好ましい。
【００１４】
また、前記屋根材は、桁方向の一側に樋部を有すると共に他側に桁方向に隣接する屋根材の樋部を上側から覆う覆い部を有し、前記役物部材の前記嵌合防水部は、屋根材の覆い部の下側に回り込むように該覆い部と嵌合していることが好ましい。
また、本発明の他の技術的手段は、傾斜屋根の屋根面に桁方向に隣り合うように設置された屋根材と屋根設置部材との間に介在される役物部材であって、
前記屋根材と屋根設置部材の間の屋根面を覆う役物本体と、該役物本体と屋根設置部材の間の隙間に流れ込む雨水を受ける樋とを備え、該樋は、屋根設置部材の桁方向の位置調整を可能とすべく屋根設置部材と屋根面の対向面間に延伸されて屋根設置部材と重合するアンダーラップ部を有している点にある。
【００１５】
上記技術的手段においては、樋が屋根設置部材の役物部材側の側部を下側を覆って延伸されているため、樋は、屋根設置部材の役物本体側の形状に拘わらず役物本体と屋根設置部材との間の隙間に流れ込む雨水を受けることができ、これによって、前記隙間より屋根面に雨水が浸入することはない。
また、樋には屋根設置部材と重合するアンダーラップ部が設けられているので、該アンダーラップ部との重ね代を伸縮させて屋根設置部材を桁方向に移動させることができ、これによって屋根設置部材の桁方向の位置調整が可能となるのである。
【００１６】
また、本発明の他の技術的手段は、傾斜屋根の屋根面に桁方向に隣り合うように設置された屋根材と屋根設置部材との間に介在される役物部材であって、
前記屋根材と屋根設置部材の間の屋根面を覆う役物本体を備えると共に、役物本体と屋根設置部材の間の隙間に流れ込む雨水を受ける樋を備え、前記役物本体は、屋根材側の第１覆い体と屋根設置部材側の第２覆い体とを有し、これら第１覆い体と第２覆い体とは、役物本体を桁方向に伸縮可能にするように、桁方向に互いに摺動自在に連結されている点にある。
【００１７】
該技術的手段においては、樋が役物本体と屋根設置部材との間に配設されるため、屋根設置部材の役物本体側の形状に拘わらず該樋が役物本体と屋根設置部材との間の隙間に流れ込む雨水を受けることとなり、これによって、前記隙間より屋根面に雨水が浸入することはない。
また、第１覆い体と第２覆い体を摺動させて役物本体を桁方向に伸縮させることにより、役物本体の桁方向の幅を調整することができ、これによって、屋根設置部材と役物本体の間の隙間及び屋根材と役物本体の間の隙間を塞ぐことができ、屋根設置部材と屋根材の間の防水性の向上が図られるのである。
【発明の効果】
【００１８】
本発明の屋根葺き構造によれば、屋根設置部材の桁方向側部の防水性が確保され、しかも、該屋根設置部材の桁方向の位置調整が可能となるのである。
また、本発明の役物部材によれば、屋根設置部材の桁方向側部の防水性が確保され、しかも、該屋根設置部材の桁方向の位置調整が可能となるのである。
【発明を実施するための最良の形態】
【００１９】
以下、本発明の実施の形態を図面を参照して説明する。
図１〜図１３は、本発明の第１の実施の形態を示している。
図１２に示す如く、本実施の形態の屋根葺き構造においては、傾斜屋根１の屋根面２に、雨水を処理する屋根材３と、該屋根材３に代わって屋根面２を覆う屋根設置部材４とが傾斜屋根１の流れ方向と直交する桁方向に隣り合って配設されている。
なお、本実施の形態においては、傾斜屋根１の棟側端部から軒側端部に向かう方向を流れ方向とし、該流れ方向及び傾斜屋根１の屋根面２の法線方向と直交する方向（一方の妻側端部から他方の妻側端部に向かう方向）を桁方向とする。また、前記法線方向を上下方向とする。
【００２０】
図１１に示す如く、屋根面２は、垂木（図示省略）上に野地板２ａを張設し、該野地板２ａの上面をアスファルトルーフィング等から構成される防水層２ｂによって覆うことにより形成され、該屋根面２には、桁方向に延伸された桟材２ｃが流れ方向に所定の間隔を有して固定されている。
また、図１２に示す如く、屋根面２は、屋根材３を桁方向に配設して形成される屋根材列３ａの間に、屋根設置部材４を桁方向に連接して形成される屋根設置材列４ａを設置することによってこれら屋根材３及び屋根設置部材４に覆われている。
【００２１】
屋根材列３ａ及び屋根設置部材列４ａは、屋根面２の軒方向から棟方向に向けて段状に葺き上げられることにより屋根面２上に敷設されており、本実施の形態においては、軒側から数えて２段目から９段目にかけて屋根設置部材列４ａが設けられており、各屋根設置部材列４ａは、屋根材３と隣り合うこととなる桁方向の最外縁が互いにずれることなく敷き列べられている。
屋根材列３ａは、桁方向の幅（以下、働き幅という）を所定寸法に形成した働き部５を有する陶器製の屋根瓦６と、該屋根瓦５の略１／２の働き幅に形成された働き部７を有する陶器製の半瓦８の２種類の屋根材３によって形成されている。
【００２２】
図７及び図８に示す如く、屋根瓦６は、上述の如き働き部５と、該働き部５の桁方向の左右一側（本実施の形態においては左側）に配備された樋部９とから構成されている。働き部５の上面には、桁方向側部に沿って波形凸部１０、１１がそれぞれ形成され、左右一側（本実施の形態においては右側）の波形凸部１１の下面には、隣接する屋根瓦６又は半瓦８の樋部９を上方から覆う覆い部１２が設けられている。
また、働き部５の棟側端部には、下方に向けて突出する下凸部１３と、上方に向けて突出する上凸部１４とが形成されており、働き部５の軒側端部には、流れ方向に向けて雨水を流すための水下り部１５が形成されている。
【００２３】
図９及び図１０に示す如く、半瓦８は、働き部７と該働き部の桁方向の左右一側（本実施の形態においては左側）に配備された樋部９とから構成されており、働き部７の働き幅が屋根瓦６の働き部５の働き幅の略１／２の大きさに形成されている以外は屋根瓦６と同じ構成を有している。
屋根設置部材４は、図５及び図６に示す如く、太陽電池としての機能を有する本体１８と、該本体１８の桁方向の両側部を覆って配備された枠部材１９とから構成されている。該本体１８は、ソーラーセルをガラスで封入してなる複数の太陽電池を有し、これら複数の太陽電池をモジュール基板の上面に貼り付けて構成されたものである。
【００２４】
また、本実施の形態において、屋根設置部材４の本体１８は、流れ方向の長さ（以下、働き長さという）が前記屋根瓦６の働き部５の働き長さと同じ大きさに形成されると共に、働き幅が前記屋根瓦６の働き部５の働き幅の（１／２）×ｎ倍（本実施の形態においてはｎ＝６）の大きさに形成されている。
屋根設置部材４の桁方向の両側部若しくは一方の側部には、屋根材３との間に役物部材が介在している。
本実施の形態においては、屋根設置部材列４ａの桁方向の最も左側に位置する屋根設置部材４の桁方向左側に左側の役物部材２０Ｌが配設され、屋根設置部材列４ａの桁方向の最も右側に位置する屋根設置部材４の桁方向右側に右側の役物部材２０Ｒが配設されているが、例えば特開平２００２−１８０６０３に示されるように、屋根材３中に混ぜ葺きされる一の屋根設置部材４の桁方向の一側のみに役物部材を配設しても良く、また、一の屋根設置部材４の桁方向の両側に役物部材を配設してももちろん構わない。
【００２５】
役物部材２０Ｌ、２０Ｒは、アルミニウム等の軽金属からなる金属板をプレス成型することによって形成されている。
図１及び図２に示す如く、左側の役物部材２０Ｌは、前記屋根材３と屋根設置部材４の間の屋根面２を覆う役物本体２１Ｌと、該役物本体２１Ｌと屋根設置部材４の間の隙間に流れ込む雨水を受ける樋２２Ｌとを備えている。
該役物本体２１の屋根材側側部は、その上面が隣接する屋根材３（本実施の形態においては屋根瓦６）の役物部材側側部の上面と略面一となる高さを有している。
【００２６】
本実施の形態において、該役物部材２０Ｌの役物本体２１Ｌは、屋根瓦６と対向することとなる桁方向左側部上面に亘って波形の凸条部２３が形成され、該凸条部２３は、その上面が前記屋根瓦６の波形凸部１１の上面と略面一となる高さを有している。
また、該役物部材２０Ｌは、隣接する屋根材３（本実施の形態においては屋根瓦６）と役物本体２１Ｌとの間の隙間から屋根面２への雨水の浸入を防止するように屋根材３の役物部材側側部と嵌合する嵌合防水部２４Ｌを備えている。
本実施の形態において、該役物部材２０Ｌの嵌合防水部２４Ｌは、屋根瓦６の覆い部１２の下側に廻り込んで該覆い部１２と嵌合している。即ち、当該役物部材２０Ｌの役物本体２１Ｌの桁方向左側部には、隣接する屋根瓦６の覆い部１２の下方に廻り込んで該屋根瓦６と役物本体２１Ｌとの間から屋根面２に向けて流れ込む雨水を受けるための樋状部２５が突設されている。
【００２７】
前記樋２２Ｌは、前記屋根設置部材４の桁方向の位置調整を可能とすべく屋根設置部材４と屋根面２の対向面間に延伸されて屋根設置部材４と重合するアンダーラップ部２６Ｌを有している。また、該樋２２Ｌは、アンダーラップ部２６Ｌの先端を折り返して形成される水返し部２７Ｌを備えており、これによって、樋２２Ｌに浸入した雨水がアンダーラップ部２２Ｌから屋根設置部材４と屋根面２の間に流れ込むことを防止している。
図３及び図４に示す如く、右側の役物部材２０Ｒは、前記屋根材３と屋根設置部材４の間の屋根面２を覆う役物本体２１Ｒと、該役物本体２１Ｒと屋根設置部材４の間の隙間に流れ込む雨水を受ける樋２２Ｒとを備えている。
【００２８】
該役物本体２１Ｒの屋根材側側部は、その上面が隣接する屋根材３（本実施の形態においては半瓦８）の役物部材側側部の上面と略面一となる高さを有している。
本実施の形態において、該役物部材２０Ｒの役物本体２１Ｒには、半瓦８と対向することとなる桁方向右側部側に波形の突出部２８が形成されており、該突出部２８は、その上面が前記半瓦８の波形凸部１０の上面と略面一となる高さを有している。
また、該役物部材２０Ｒは、隣接する屋根材３（本実施の形態においては半瓦８）と役物本体２１Ｒとの間の隙間から屋根面２への雨水の浸入を防止するように半瓦８の役物部材側側部と嵌合する嵌合防水部２４Ｒを備えている。
【００２９】
本実施の形態において、該役物部材２０Ｒの嵌合防水部２４Ｒは、半瓦８の樋部９を上側から覆って該樋部９と嵌合している。即ち、該役物部材２０Ｒの役物本体２１Ｒの突出部２８の下方には、隣接する半瓦８の樋部９を収容して該樋部９に雨水が浸入することを可及的に抑制する収容部２９が形成されている。
前記樋２２Ｒは、前記屋根設置部材４の桁方向の位置調整を可能とすべく屋根設置部材４と屋根面２の対向面間に延伸されて屋根設置部材４と重合するアンダーラップ部２６Ｒを有している。また、該樋２２Ｒは、アンダーラップ部２６Ｒの先端を折り返して形成される水返し部２７Ｒを備えており、これによって、樋２２Ｒに浸入した雨水がアンダーラップ部２２Ｒから屋根設置部材４と屋根面２の間に流れ込むことを防止している。
【００３０】
なお、役物部材２０Ｌ、２０Ｒの役物本体２１Ｌ、２１Ｒは、該屋根瓦６の働き部５の働き幅の略１／４の働き幅を有している。
本実施の形態は以上の構成からなるものであって、図１１に示す如く、屋根面２の桟材２ｃに屋根瓦６の下凸部１３を引っ掛けて係合させると共に、該屋根瓦６の覆い部１２の下側に該屋根瓦６と隣接すべき屋根瓦６の樋部９を廻り込ませ、これを順次繰り返すことにより屋根材列３ａが形成される。そして、下段の屋根材列３ａを形成する屋根瓦６の上凸部１４を上段の屋根材列３ａを形成する屋根瓦６の水下り部１５で覆うようにこれら屋根材列３ａを屋根面２の軒側から棟側に向けて階段状に葺き上げることにより、図１２に示す如く、桁方向に整列した屋根瓦６が流れ方向に階段状に重なり合った傾斜屋根１が形成されるのである。
【００３１】
また、軒側から数えて２段目から９段目においては、屋根材列３ａの間に屋根設置部材列４ａが配設されている。ここで、実際の屋根の施工においては、一方の屋根瓦６の樋部９によって雨水を処理すべく隣接する屋根瓦６間に僅かに隙間を設けて該屋根瓦６が配設されているため、上述の如く働き幅が屋根瓦６の働き部５の（１／２）×ｎ倍である屋根設置部材４を配設した場合、この整数分の屋根瓦６を桁方向に敷き列べた屋根材列３ａの桁方向長さは屋根設置部材４の働き幅よりも前記隙間の合計分だけ大きいものとなる。このため、図１２に示す如く、流れ方向及び桁方向に整列した屋根材列３ａに対して屋根設置部材列４ａの一側（本実施の形態においては右側）の側縁が僅かに左側に寄り、これによって該屋根設置部材列４ａの右側に配設される屋根材列３ａが１段目及び１０段目の屋根材列３ａよりも左側にずれてしまうこととなる。
【００３２】
そこで、２段目から９段目においては、上述の如きずれを補正すべく、先ず、該ずれを加味した所定位置に桁方向に左右一対の役物部材２０Ｌ、２０Ｒを固定する。
そして、左側の役物部材２０Ｌの左側及び右側の役物部材２０Ｒの右側に上述の如き屋根材列３ａを配設する。
このとき、図５及び図６に示す如く、左側の役物部材２０Ｌの樋状部２５を屋根材列３ａの桁方向最右側の屋根瓦６の覆い部１２によって覆うと共に、右側の役物部材２０Ｒの収容部２９に屋根材列３ａの桁方向最左側の半瓦８の樋部９を廻り込ませることにより、屋根材列３ａと役物部材２０Ｌ、２０Ｒの間の防水処理が施されることとなり、これによって、該屋根材列３ａと役物部材２０Ｌ、２０Ｒの間の隙間から屋根面２に向けて雨水が浸入することが可及的に防止されるのである。
【００３３】
そして、左右一対の役物部材２０Ｌ、２０Ｒの間に、屋根設置部材４を公知の技術によって桁方向に連接した屋根設置部材列４ａを設置するのである。ここで、桁方向に連接された屋根設置部材４の内、屋根設置部材列４ａの最も左側に位置する屋根設置部材４の左側部の枠部材１９は、左側の役物部材２０Ｌの樋２２Ｌの上面に設置され、これによって該樋２２Ｌのオーバーラップ部２６Ｌは、該枠部材１９及び該枠部材１９に近傍の本体１８と対向することとなるのである。
同様に、屋根設置部材列４ａの最も右側に位置する屋根設置部材４の右側側部の枠部材１９は、右側の役物部材２０Ｒの樋２２Ｒの上面に設置され、これによって該樋２２Ｒのオーバーラップ部２６Ｒは、該枠部材１９及び該枠部材１９に近傍の本体１８と対向することとなるのである。
【００３４】
そして、この状態で屋根設置部材列４ａを桁方向に動かすことにより、屋根設置部材列４ａの桁方向の位置調整がなされ、これによって、該屋根設置部材列４ａが屋根材列３ａに対して収まりよく屋根面２に設置されるのである。
このとき、屋根設置部材列４ａの桁方向両側縁の枠部材１９はそれぞれ、左右一対の役物部材２０Ｌ、２０Ｒの樋２２Ｌ、２２Ｒのオーバーラップ部２６Ｌ、２６Ｒを伸縮させつつ該樋２２Ｌ、２２Ｒ上を摺動するため、屋根面２が露出することはなく、屋根設置部材列４ａと役物本体２１Ｌ、２１Ｒの間に雨水が浸入した場合にも、該雨水は樋２２Ｌ、２２Ｒによって受けられ、屋根面２にまで雨水が浸入することは防止されるのである。
【００３５】
また、図１２に示す如く、左側の役物部材２０Ｌの左側縁を１段目及び１０段目の屋根材列３ａを形成する屋根瓦６の側縁に揃えるように左右一対の役物部材２０Ｌ、２０Ｒを屋根面２に設置した場合、右側の役物部材２０Ｒが１段目及び１０段目の屋根材列３ａの屋根瓦６に対して該屋根瓦６の働き部５の働き幅の略半分の長さだけずれた位置に設置されることとなるが、該右側の役物部材２０Ｒの桁方向右側に半瓦８を配設することにより、該半瓦８に続けて配設する屋根材列３ａは収まりよく屋根面２に敷設されるのである。
また、図１３に示す如く、半瓦８の配設位置を屋根材列３ａの段毎に左側の役物部材２０Ｌの桁方向左側と右側の役物部材２０Ｒの桁方向右側との間で交互に設定することにより、屋根材列３ａが段毎に半瓦８の働き部７の働き幅だけずらされ、これによって屋根材３を所謂千鳥状に配設することができるのである。
【００３６】
本実施の形態によれば、屋根設置部材列４ａの桁方向側部に役物部材２０Ｌ、２０Ｒを配設することにより、屋根設置部材列４ａ及び役物部材２０Ｌ、２０Ｒに隣接して配設される屋根材列３ａが収まりよく配設されるので、屋根材３を現場で切削したり、屋根材３間の隙間の大きさを調節したりする等して屋根設置部材列４ａの設置に伴う屋根材列３ａのずれを補正する必要はなく、施工性の向上が図られる。また、屋根設置部材列４ａの桁方向左右両端の枠部材１９、１９を左右一対の役物部材２０Ｌ、２０Ｒの樋２２Ｌ、２２Ｒ上に位置させた状態で該屋根設置部材４ａを桁方向に位置調整可能であるので、屋根設置部材列４ａの桁方向側部の防水性が確保されることはもちろん、傾斜屋根１の外観上の意匠性の向上が図られるのである。
【００３７】
図１４〜図２１は本発明の第２の実施の形態を示している。
【００３８】
該第２の実施の形態においては、役物部材２１０Ｌ、２１０Ｒの構成が上記第１の実施の形態とは異なるが、他の構成は上記第１の実施の形態と同じであるので、役物部材２１０Ｌ、２１０Ｒの構成についてのみ説明し、他の構成は上記第１の実施の形態と同じ符号を付してその説明を省略する。
本実施の形態において、役物部材２１０Ｌ、２１０Ｒは、前記屋根材３と屋根設置部材４の間の屋根面２を覆う役物本体２１１Ｌ、２１１Ｒを備えると共に、役物本体２１１Ｌ、２１１Ｒと屋根設置部材４の間の隙間に流れ込む雨水を受ける樋２２Ｌ、２２Ｒとを備えている。
【００３９】
役物本体２１１Ｌ、２１１Ｒは、屋根材側の第１覆い体２１２Ｌ、２１２Ｒと屋根設置部材側の第２覆い体２１３Ｌ、２１３Ｒとを有し、これら第１覆い体２１２Ｌ、２１２Ｒと第２覆い体２１３Ｌ、２１３Ｒとは、役物本体２１１Ｌ、２１１Ｒを桁方向に伸縮（調整）可能とするように、桁方向に互いに摺動自在に連結（接続、嵌合、組み合わ）されている。
図１４及び図１５は、屋根設置部材列４ａの桁方向左側に配設される左側の役物部材２１０Ｌを示しており、該役物部材２１０Ｌの役物本体２１１Ｌは、直方体状の第１覆い体２１２Ｌと該第１覆い体２１２Ｌを覆う第２覆い体２１３Ｌとから構成されており、該第１覆い体２１２Ｌに第２覆い体２１３Ｌが桁方向に摺動自在に係合している。
【００４０】
また、第１覆い体２１２Ｌの上面に前記凸条部２３が形成されると共に、該第１覆い体２１２Ｌの左側部に沿って前記樋状部２５が設けられている。また、第２覆い体２１３Ｌの右側部に沿って前記樋２２Ｌが配備され、該樋２２Ｌは前記アンダーラップ部２６Ｌ及び水返し部２７Ｌを備えている。
さらに、第１覆い体２１２Ｌの右側部には、その側縁を第２覆い体２１３Ｌに向けて折り返してなる水返し部３０Ｌが形成されており、第２覆い体２１３Ｌの左側部には、その側縁を第１覆い体２１２Ｌに向けて折り返してなる水返し部３１Ｌが形成されており、一方の水返し部が他方の覆い体の表面と当接した状態で両覆い体２１２Ｌ、２１３Ｌは互いに係合している。このため、両覆い体２１２Ｌ、２１３Ｌを桁方向に摺動させた場合にも、両水返し部３０Ｌ、３１Ｌが覆い体２１２Ｌ、２１３Ｌの表面上をそれぞれ摺動することとなり、これによって、両覆い体２１２Ｌ、２１３Ｌの摺動面の水密性が保たれ、該摺動面から屋根面２への雨水の浸入は防止されるのである。
【００４１】
図１６及び図１７は、屋根設置部材列４ａの桁方向右側に配設される右側の役物部材２１０Ｒを示しており、該役物部材２１０Ｒの役物本体２１１Ｒは、カバー状の第１覆い体２１２Ｒと、該第１覆い体２１２Ｒの下面に廻り込んで配備される直方体状の第２覆い体２１３Ｒとから構成されており、該第２覆い体２１３Ｒに第１覆い体２１２Ｒが桁方向に摺動自在に係合している。
また、第１覆い体２１２Ｒの右側部に前記突出部２８が設けられると共に、該突出部２８の下方には前記収容部２９が設けられている。また、第２覆い体２１３Ｒの左側部に沿って前記樋２２Ｒが配備され、該樋２２Ｒは前記アンダーラップ部２６Ｒ及び水返し部２７Ｒを備えている。
【００４２】
さらに、第１覆い体２１２Ｒの左側部には、その側縁を第２覆い体２１３Ｒに向けて折り返してなる水返し部３０Ｒが形成されており、第２覆い体２１３Ｒの右側部には、その側縁を第１覆い体２１２Ｒに向けて折り返してなる水返し部３１Ｒが形成されており、一方の水返し部が他方の覆い体の表面と当接した状態で両覆い体２１２Ｒ、２１３Ｒは互いに係合している。このため、両覆い体２１２Ｒ、２１３Ｒを桁方向に摺動させた場合にも、両水返し部３０Ｒ、３１Ｒが覆い体２１２Ｒ、２１３Ｒの表面上をそれぞれ摺動することとなり、これによって、両覆い体２１２Ｒ、２１３Ｒの摺動面の水密性が保たれ、該摺動面から屋根面２への雨水の浸入は防止されるのである。
【００４３】
本実施の形態は以上の構成からなるものであって、各役物部材２１０Ｌ、２１０Ｒを前記屋根設置部材列４ａの桁方向の側部に配備する場合、先ず、屋根設置部材列４ａの働き幅に相当する間隔を桁方向に設けた所定位置に左右一対の役物部材２１０Ｌ、２１０Ｒを固定し、その後、屋根設置部材列４ａを両役物部材２１０Ｌ、２１０Ｒの間に設置する。これによって、屋根設置部材列４ａと両役物部材２１０Ｌ、２１０Ｒの役物本体２１１Ｌ、２１１Ｒとは隙間無く隣接し、また、該隙間の下方には役物部材２１０Ｌ、２１０Ｒの樋２２Ｌ、２２Ｒがそれぞれ位置することとなり、これら屋根設置部材列４ａと役物部材２１０Ｌ、２１０Ｒの間の防水性が確保されるのである。
【００４４】
次に、左側の役物部材２１０Ｌの左方及び右側の役物部材２１０Ｒの右方に上述の如き屋根材列３ａを配設する。
ここで、屋根瓦６を流れ方向に整列させるべく該屋根瓦６を桁方向に敷き列べていくと、図１８及び図１９に示す如く、左側の役物部材２１０Ｌの役物本体２１１Ｌと該役物本体２１１Ｌに隣接すべき屋根瓦６の間、及び右側の役物部材２１０Ｒの役物本体２１１Ｒと該役物本体２１１Ｒに隣接すべき屋根瓦６の間に大きな隙間が生じ、左側の役物部材２１０Ｌの樋状部２５や右側の役物部材２１０Ｒに隣接すべき屋根瓦６の樋部９が屋根上に大きく露出してしまう場合がある。
【００４５】
そこで、両役物部材２１０Ｌ、２１０Ｒの役物本体２１１Ｌ、２１１Ｒの第１覆い体２１２Ｌ、２１２Ｒと第２覆い体２１３Ｒ、２１３Ｒとを互いに桁方向に摺動させ、役物本体２１１Ｌ、２１１Ｒを桁方向に伸長させる。これによって、図２０及び図２１に示す如く、左側の役物部材２１０Ｌの樋状部２５が該役物部材２１０Ｌの桁方向左側に配設される屋根瓦６の覆い部１２によって覆われると共に、右側の役物部材２１０Ｒの収容部２９に役物部材２１０Ｒの桁方向右側に配設される屋根瓦６の樋部９が廻り込む。これによって、これら屋根材列３ａと役物本体２１１Ｌ、２１１Ｒ間の上述の如き隙間が塞がれると共に該隙間の防水処理が施されることとなり、該屋根材列３ａと役物本体２１１Ｌ、２１１Ｒの間の隙間から屋根面２に向けて雨水が浸入することが可及的に防止されるのである。
【００４６】
本実施の形態によれば、左右一対の役物部材２１０Ｌ、２１０Ｒの役物本体２１１Ｌ、２１２Ｒを桁方向に伸縮させることにより、屋根設置部材列４ａを設置することによる流れ方向の屋根材３のずれは解消されることとなり、屋根材３を現場で切削したり、屋根材３間の隙間の大きさを調節したりする等して前記屋根材３のずれを補正する必要はなく、施工性の向上が図られる。また、左右一対の役物部材２１０Ｌ、２１０Ｒの役物本体２１１Ｌ、２１１Ｒと該役物部材２１０Ｌ、２１０Ｒと隣接する屋根設置部材４及び屋根材３の間の隙間を可及的に小さくすることができるため、該役物本体２１１Ｌ、２１１Ｒの桁方向両側の防水性の向上が図られるのである。
【００４７】
図２２〜図２７は本発明の第３の実施の形態を示している。
【００４８】
図２２に示す如く、本実施の形態において、屋根瓦６１は、上述の如き働き部５と、該働き部５の桁方向の左右一側（本実施の形態においては右側）に突設された樋部９とから構成されている。
働き部５には、桁方向側部に波形凸部１０、１１がそれぞれ形成され、左右一側（本実施の形態においては左側）の波形凸部１１の下面には、隣接する屋根瓦６１の樋部９を上方から覆う覆い部１２が設けられている（図２７参照）。また、図２４及び図２５に示す如く、働き部５の棟側端部には、屋根面２の桟材２ｃに当接すべき下凸部１３と、上方に向けて突出する上凸部１４とが形成されており、働き部５の軒側端部には、流れ方向に向けて雨水を流すための水下り部１５が形成されている。
【００４９】
また、図２２及び図２３に示す如く、屋根設置部材４１の本体１８は、働き長さが前記屋根瓦６１の働き部５の働き長さの整数倍（本実施の形態においては略２倍）の大きさに形成されると共に、働き幅が前記屋根瓦６１の働き部５の働き幅の（１／２）×ｎ倍（本実施の形態においてはｎ＝８）の大きさに形成されている。
該屋根設置部材４１の桁方向側部には、左右一対の役物部材２２０Ｌ、２２０Ｒが配備されている。
該一対の役物部材２２０Ｌ、２２０Ｒは、屋根材３（本実施の形態のおいては屋根瓦６１）の流れ方向の長さよりも大きい流れ方向の長さを有し、屋根設置部材４１及び複数段の屋根材３の間に介在している。
【００５０】
即ち、本実施の形態において、屋根設置部材４１の桁方向左側に配備される左側の役物部材２２０Ｌは、複数段（本実施の形態においては２段）の屋根瓦６１と屋根設置部材４１の間の屋根面２を覆う役物本体２２１Ｌと、該役物本体２２１Ｌと屋根設置部材４１の間の隙間に流れ込む雨水を受ける樋２２２Ｌとを備えている。
該役物本体２２１Ｌは、無底の箱形形状を呈しており、その働き幅が屋根瓦６１の働き部５の働き幅の略１／４の大きさに形成されると共に、その働き長さが前記屋根瓦６１の働き部５の働き長さの整数倍（本実施の形態においては略２倍）の大きさに形成されている。
【００５１】
また、図２４及び図２６に示す如く、該役物部材２２０Ｌは、前記隣接する屋根瓦６１と役物本体２２１Ｌとの間の隙間から屋根面２への雨水の浸入を防止するように屋根瓦６１の役物部材側側部と嵌合する嵌合防水部２２４Ｌを備えており、該役物部材２２０Ｌの嵌合防水部２２４Ｌは、複数段状に重なり合った屋根瓦６１、６１の樋部９、９を上側から覆って該樋部９と嵌合している。
即ち、該役物部材２２０Ｌの役物本体２２１Ｌの左側部には、隣接する段状の屋根瓦６１、６１の樋部９、９に上面に沿わせて段状に切り欠かれた切り欠き部２２９が形成されており、該切り欠き部２２９に段状の屋根瓦６１、６１の樋部９、９の上面を対向させた状態で該樋部９、９を役物本体２２１Ｌ内に収容することにより、該樋部９、９に雨水が浸入することが可及的に抑制されるのである。
【００５２】
図２３に示す如く、前記樋２２２Ｌは、前記役物本体２２１Ｌの働き長さと略同一の働き長さを有して前記役物本体２２１Ｌの右側部に沿って配備されている。
さらに、該樋２２２Ｌは、屋根設置部材４１の桁方向の位置調整を可能とすべく屋根設置部材４１と屋根面２の対向面間に延伸されて屋根設置部材４１と重合するアンダーラップ部２２６Ｌを有している。
また、図２６に示す如く、該樋２２２Ｌは、アンダーラップ部２２６Ｌの先端を折り返して形成される水返し部２２７Ｌを備えており、これによって、樋２２２Ｌに浸入した雨水がアンダーラップ部２２２Ｌから屋根設置部材４１と屋根面２の間に流れ込むことを防止している。
【００５３】
また、図２２及び図２３に示す如く、屋根設置部材４１の桁方向右側に配備される右側の役物部材２２０Ｒは、複数段（本実施の形態においては２段）の屋根瓦６１と屋根設置部材４１の間の屋根面２を覆う役物本体２２１Ｒと、該役物本体２２１Ｒと屋根設置部材４１の間の隙間に流れ込む雨水を受ける樋２２２Ｒとを備えている。
該役物本体２２１Ｒは、無底の箱形形状を呈しており、その働き幅が屋根瓦６１の働き部７の働き幅の略１／４の大きさに形成されると共に、その働き長さが前記屋根瓦６１の働き部７の働き長さの整数倍（本実施の形態においては略２倍）の大きさに形成されている。
【００５４】
また、図２５及び図２７に示す如く、該役物部材２２０Ｒは、隣接する段状の屋根瓦６１、６１と役物本体２２１Ｒとの間の隙間から屋根面２への雨水の浸入を防止するように屋根瓦６１、６１の役物部材側側部と嵌合する嵌合防水部２２４Ｒを備えており、該役物部材２２０Ｒの嵌合防水部２２４Ｒは、複数段状に重なり合った屋根瓦６１、６１の覆い部１２、１２の下側に廻り込んで該覆い部１２、１２と嵌合している。
即ち、図２３に示す如く、該役物部材２２０Ｒの役物本体２２１Ｒの右側部には、隣接する段状の屋根瓦６１、６１の覆い部１２、１２の下方に廻り込んで該屋根瓦６１、６１と役物本体２２１Ｒとの間から屋根面２に向けて流れ込む雨水を受けるための樋状部２２５が突設されている。該樋状部２２５には、その右側縁を上方に折り返して形成される水返し部２２５ａが設けられており、該水返し部２２５ａは、隣接する段状の屋根瓦６１、６１の覆い部１２、１２の形状に沿わせて段状に形成されている。該樋状部２２５の上面を段状の屋根瓦６１、６１の覆い部１２、１２によって覆うことにより、該樋状部２２５に雨水が浸入することが可及的に抑制されるのである。
【００５５】
さらに、該樋２２２Ｒは、屋根設置部材４１の桁方向の位置調整を可能とすべく屋根設置部材４１と屋根面２の対向面間に延伸されて屋根設置部材４１と重合するアンダーラップ部２２６Ｒを有している。
また、左右一対の樋２２２Ｌ、２２２Ｒは、前記屋根面２と平行となるように棟側から軒側に向けて傾斜しているが、該一対の樋２２２Ｌ、２２２Ｒの勾配はこれに限定されることはなく、下段の屋根瓦６１の働き部５上面の軒側端部から上段の屋根瓦６１の水下り部１５下端までの勾配とする等、屋根設置部材４１の特性に合わせて様々な角度を設定可能である。
【００５６】
本実施の形態は以上の構成からなるものであって、図２３に示す如く、屋根設置部材４１を設置する段まで屋根瓦６１を配設した後に所定位置に左右一対の役物部材２２０Ｌ、２２０Ｒを固定し、その後、引き続き軒側から棟側に向けて屋根瓦６１を配設すると共に、左右一対の役物部材２２０Ｌ、２２０Ｒの間に屋根設置部材４１を設置する。
本実施の形態においては、左右一対の役物部材２２０Ｌ、２２０Ｒの役物本体２２１Ｌ、２２１Ｒは、屋根設置部材４１の働き長さに相当する働き長さを有し、該役物本体２２１Ｌ、２２１Ｒの一方の側部に屋根設置部材４１を受ける樋２２２Ｌ、２２２Ｒが配備されると共に、他方の側部に段状の屋根瓦６１、６１と嵌合すべき嵌合防水部２２４Ｌ、２２４Ｒが設けられている。
【００５７】
したがって、屋根設置部材４１の働き長さが階段状に重なり合った複数段の屋根瓦６１、６１の働き長さに相当する場合にも、複数段の屋根瓦６１、６１と屋根設置部材４１の間に役物部材２２０Ｌ、２２０Ｒが介在することにより、該屋根設置部材４１と複数段の屋根瓦６１、６１の間の防水性を確保された状態で該屋根設置部材４１が屋根面２に設置されるのである。
【００５８】
図２８〜図３１は本発明の第４の実施の形態を示している。
【００５９】
該第４の実施の形態においては、役物部材２３０Ｌ、２３０Ｒの構成が上記第３の実施の形態とは異なるが、他の構成は上記第３の実施の形態と同じであるので、役物部材２３０Ｌ、２３０Ｒの構成についてのみ説明し、他の構成は上記第３の実施の形態と同じ符号を付してその説明を省略する。
図２８及び図３０に示す如く、本実施の形態において、屋根設置部材４１の桁方向両側部の内、左側部に配備される左側の役物部材２３０Ｌは、階段状に重なり合った複数段（本実施の形態においては２段）の屋根瓦６１と屋根設置部材４１の間の屋根面２を覆う役物本体２３１Ｌと、該役物本体２３１Ｌと屋根設置部材４の間の隙間に流れ込む雨水を受ける樋２３２Ｌとを備えている。
【００６０】
該役物本体２３１Ｌは、屋根瓦６１の役物部材側の上面形状に沿わせた屋根瓦連結部２３３Ｌと、屋根設置部材４１の役物部材側の上面形状に沿わせた屋根設置部材連結部２３４Ｌとを有している。
屋根瓦連結部２３３Ｌは、隣接する段状の屋根瓦６１、６１と対向することとなる役物本体２３１Ｌの左側部上面に亘って波形の凸状に形成されると共に、その上面を各段の屋根瓦６１、６１の波形凸部１１、１１の上面と略面一とすべく段状に形成されている。
また、屋根設置部材連結部２３４Ｌは、隣接する屋根設置部材４１と対向することとなる役物本体２３１Ｌの右側部に亘って平坦に形成されている。
【００６１】
また、該役物本体２３１Ｌの左側部に形成される切り欠き部２３９は、段状の屋根瓦６１、６１の樋部９、９に沿わせるべく段状に形成されている。
また、該役物部材２３１Ｌの樋２３２Ｌは、役物本体２３１Ｌの右側部に沿って配備されており、前記アンダーラップ部２２６Ｌ及び水返し部２２７Ｌを有している。
図２９及び図３１に示す如く、屋根設置部材４１の桁方向両側部の内、右側部に配備される右側の役物部材２３０Ｒは、階段状に重なり合った複数段（本実施の形態においては２段）の屋根瓦６１と屋根設置部材４１の間の屋根面２を覆う役物本体２３１Ｒと、該役物本体２３１Ｒと屋根設置部材４の間の隙間に流れ込む雨水を受ける樋２３２Ｒとを備えている。
【００６２】
該役物本体２３１Ｒは、屋根瓦６１の役物部材側の上面形状に沿わせた屋根瓦連結部２３３Ｒと、屋根設置部材４１の役物部材側の上面形状に沿わせた屋根設置部材連結部２３４Ｒとを有している。
屋根瓦連結部２３３Ｒは、隣接する段状の屋根瓦６１、６１と対向することとなる役物本体２３１Ｒの右側部上面に亘って波形の凸状に形成されると共に、その上面を各段の屋根瓦６１、６１の波形凸部１１、１１の上面と略面一とすべく段状に形成されている。
また、屋根設置部材連結部２３４Ｒは、隣接する屋根設置部材４１と対向することとなる役物本体２３１Ｒの左側部に亘って平坦に形成されている。
【００６３】
また、該役物本体２３１Ｒの右側部に沿って配備される樋状部２３５は、段状の屋根瓦６１、６１の覆い部１２、１２に沿わせるべく段状に形成されている。
また、該役物部材２３１Ｒの樋２３２Ｒは、役物本体２３１Ｒの右側部に沿って配備されており、前記アンダーラップ部２２６Ｒ及び水返し部２２７Ｒを有している。
本実施の形態によれば、左右一対の役物部材２３０Ｌ、２３０Ｒを介して段状の屋根瓦６１、６１と屋根設置部材４１とを収まりよく連結することができ、外観上の意匠性の向上が図られる。また、役物部材２３０Ｌ、２３０Ｒの屋根瓦連結部２３３Ｌ、２３３Ｒの上面が段状の屋根瓦６１、６１の働き部５、５と略面一となっており、これによって、屋根瓦６１、６１と役物部材２３０Ｌ、２３０Ｒの間隙への雨水の吹き込みが抑制されるのである。
【００６４】
また、上段の屋根瓦６１、６１と対向する役物部材２３０Ｌ、２３０Ｒの屋根瓦連結部２３３Ｌ、２３３Ｒの上段部は、該屋根瓦６１、６１の棟側端部から軒側端部に亘って延設されている。このため、役物部材２３０Ｌ、２３０Ｒの屋根瓦連結部側の側面の内、上下段の屋根瓦６１、６１の重合位置と対向することとなる位置からの雨水の吹き込みや浸入が可及的に抑制されるのである。
【００６５】
図３２〜図３７は、本発明の第５の実施の形態を示している。
【００６６】
該第５の実施の形態においても、役物部材２４０Ｌ、２４０Ｒの構成が上記第３の実施の形態とは異なるが、他の構成は上記第３の実施の形態と同じであるので、役物部材２４０Ｌ、２４０Ｒの構成についてのみ説明し、他の構成は上記第３の実施の形態と同じ符号を付してその説明を省略する。
図３２及び図３３に示す如く、本実施の形態において、屋根設置部材４１の桁方向両側部の内、左側部に配備される左側の役物部材２４０Ｌは、階段状に重なり合った複数段（本実施の形態においては２段）の屋根瓦６１と屋根設置部材４１の間の屋根面２を覆う役物本体２４１Ｌと、該役物本体２４１Ｌと屋根設置部材４１の間の隙間に流れ込む雨水を受ける樋２４２Ｌとを備えている。
【００６７】
図３４に示す如く、該役物本体２４１Ｌは、上下に階段状に重なり合って隣接する屋根瓦６１、６１の内、下段の屋根瓦６１と嵌合すべき第１部材２４３Ｌと、上段の屋根瓦６１と嵌合すべき第２部材２４４Ｌとを備えている。第１部材２４３Ｌは、下段の屋根瓦６１の波形凸部１０と同一高さを有する無底の箱状に形成され、下段の屋根瓦６１の水下り部先端から上段の屋根瓦６１と係合すべき桟材２ｃの近傍まで延伸されている。
また、図３６に示す如く、第１部材２４３Ｌの軒側右側壁には、逆Ｕ字状の連結部材２４５Ｌが配備されている。本実施の形態において、該連結部材２４５Ｌは、ビス等の締結具を介して前記軒側右側壁に取り付けられているが、溶接等の他の取付方法によって取り付けることももちろん可能である。
【００６８】
また、第１部材２４３Ｌの右側部に前記樋２４２Ｌが形成され、該樋２４２Ｌは、前記アンダーラップ２２６Ｌ部及び水返し部２２７Ｌを有している。
図３３及び図３４に示す如く、第２部材２４４Ｌは、上段の屋根瓦６１の波形凸部１０と同一高さを有する無底の箱状に形成され、上段の屋根瓦６１の軒側端部から棟側端部までの働き長さを有している。また、第２部材２４４Ｌの右側部は、第１部材２４３Ｌの樋２４２Ｌに向けて延伸され、その先端部が内側に折り返されており、該先端部を前記連結部材２４５Ｌに嵌合させることにより、第２部材２４４Ｌは第１部材２４３Ｌの軒側上面に取り付けられているのである。
【００６９】
また、本実施の形態における該役物部材２４０Ｌの嵌合防水部２４６Ｌは、階段状の屋根瓦６１、６１の樋部９、９を上側から覆って該樋部９、９と嵌合している。即ち、該役物部材２４０Ｌの第１部材２４３Ｌ及び第２部材２４４Ｌの左側部には、各段の屋根瓦６１の樋部９の形状に沿わせて切り欠かれた切り欠き部２４７Ｌ、２４８Ｌが形成されており、該切り欠き部２４７Ｌ、２４８Ｌを各段の屋根瓦６１の樋部９の上面に対向させた状態で該樋部９を第１部材２４３Ｌ及び第２部材２４４Ｌ内に収容することにより、段状の屋根瓦６１、６１と役物部材２４０Ｌとの間の防水性が確保されるのである。
【００７０】
図３２及び図３３に示す如く、屋根設置部材４１の桁方向両側部の内、右側部に配備される右側の役物部材２４０Ｒは、階段状に重なり合った複数段（本実施の形態においては２段）の屋根瓦６１と屋根設置部材４１の間の屋根面２を覆う役物本体２４１Ｒと、該役物本体２４１Ｒと屋根設置部材４の間の隙間に流れ込む雨水を受ける樋２４２Ｒとを備えている。
図３５に示す如く、該役物本体２４１Ｒは、上下に階段状に重なり合って隣接する屋根瓦６１、６１の内、下段の屋根瓦６１と嵌合すべき第１部材２４３Ｒと、上段の屋根瓦６１と嵌合すべき第２部材２４４Ｒとを備えている。第１部材２４３Ｒは、下段の屋根瓦６１の波形凸部１１と同一高さを有する無底の箱状に形成され、下段の屋根瓦６１の水下り部先端から上段の屋根瓦６１と係合すべき桟材２ｃの近傍まで延伸されている。
【００７１】
また、図３７に示す如く、第１部材２４３Ｒの軒側左側壁には、逆Ｕ字状の連結部材２４５Ｒが配備されている。
また、第１部材２４３Ｒの左側部に前記樋２４２Ｒが形成され、該樋２４２Ｒは、前記アンダーラップ２２６Ｒ部及び水返し部２２７Ｒを有している。
図３３及び図３５に示す如く、第２部材２４４Ｒは、上段の屋根瓦６１の波形凸部１１と同一高さを有する無底の箱状に形成され、上段の屋根瓦６１の軒側端部から棟側端部に亘る働き長さを有している。また、第２部材２４４Ｒの左側部は、第１部材２４３Ｒの樋２４２Ｒに向けて延伸され、その先端部が内側に折り返されており、該先端部を前記連結部材２４５Ｒに勘合させることにより、第２部材２４４Ｒは第１部材２４３Ｒの軒側上面に取り付けられているのである。
【００７２】
また、本実施の形態における該役物部材２４０Ｒの嵌合防水部２４６Ｒは、階段状の屋根瓦６１、６１の覆い部１２、１２の下側に廻り込んで該覆い部１２、１２と嵌合している。
即ち、図３３及び図３７に示す如く、該役物部材２４０Ｒの第１部材２４３Ｒ及び第２部材２４４Ｒの右側部には、雨水を受けるべき樋状部２４７Ｒ、２４８Ｒが軒側端部から棟側端部に亘って形成されており、これら樋状部２４７Ｒ、２４８Ｒの上面が各段の屋根瓦６１、６１の覆い部１２、１２と対向することにより、段状の屋根瓦６１、６１と役物部材２４０Ｒとの間の防水性が確保されるのである。
【００７３】
本実施の形態によれば、役物部材２４０Ｌ、２４０Ｒは、単純な形状を有する複数の部材を組み合わせることにより複雑な形状に形成されるので、該役物部材２４０Ｌ、２４０Ｒの製造コストの削減が図られるのである。
即ち、本実施の形態の如き段状の役物部材を一枚の金属板から形成する場合、段状に配設された屋根瓦６１、６１の各屋根瓦６１の働き部５と役物部材の上面とを略面一とすると共に、屋根瓦６１の役物部材側の側面形状に役物部材の屋根材側の側面形状を沿わせるためには、該役物部材をプレス加工等によって屈曲させなければならず、その形状は複雑であると共に加工が困難となる。加えて、屋根瓦６１や屋根設置部材４１の特性に応じて役物部材の上面の屋根面２に対する角度を調整することができない。
【００７４】
これに対して、本実施の形態の役物部材２４０Ｌ、２４０Ｒは、箱型状の複数（本実施の形態においては２）の部材を段状に重ね合わせる簡易な構成によって隣接配置される段状の屋根瓦６１、６１と同様の段状に形成され、これによって、各段の屋根瓦６１、６１の働き部５、５と役物部材２４０Ｌ、２４０Ｒの上面が略面一となる。また、段毎に箱形状の部材の屋根材側の側面形状を屋根瓦６１の役物部材側の側面形状に沿わせた形状に形成することによって、簡易な構成で役物部材２４０Ｌ、２４０Ｒの屋根材側の側面を段状の屋根瓦６１、６１の役物部材側の側面形状に対応させることが可能となるのである。
【００７５】
さらに、種々の勾配を有する箱形状の部材を組み合わせることにより、屋根瓦６１や屋根設置部材４１の特性に応じて役物部材２４０Ｌ、２４０Ｒの上面の屋根面２に対する角度を容易に調整することができるのである。
【００７６】
図３８及び図３９は、本発明の第６の実施の形態を示している。
該第６の実施の形態において、複数段の屋根材３（本実施の形態においては、屋根瓦６１）は、流れ方向に隣り合う屋根材３同士が桁方向に順次ずれるように配置されており、役物本体２４１Ｌ、２４１Ｒは、屋根材側の側縁部が前記複数段の屋根材３のずれに対応して凹凸状に形成されている。即ち、本実施の形態において、屋根設置部材４１の桁方向側部に配備される左右一対の役物部材２４０Ｌ、２４０Ｒの構成は、上記第５の実施の形態と同じであるが、役物本体２４０Ｌ、２４０Ｒの第１部材２４３Ｌ、２４３Ｒの働き幅が屋根瓦６１の働き部５の略１／４の大きさに形成されているのに対し、第２部材２４４Ｌ、２４４Ｒの働き幅が屋根瓦６１の働き部５の３／４の大きさに形成されているのである。
【００７７】
これによって、屋根設置部材４１の桁方向側方に配設される階段状の屋根瓦６１、６１は、上下段で該屋根瓦６１の働き部５の働き幅の略１／２の大きさ分だけずらして配設されることとなり、これによって、階段状に配設された屋根瓦６１の複数段に亘る働き長さを有する屋根設置部材４１を屋根面２に設置した場合にも、屋根瓦６１が所謂千鳥状に配設されるのである。
また、本実施の形態においては、図４０及び図４１に示す如く、屋根瓦６１の形状が働き部５を平坦に形成した平瓦状を呈するものでもあっても良く、役物本体２４０Ｌ、２４０Ｒの第１部材２４３Ｌ、２４３Ｒの働き幅を屋根瓦６１の働き部５の略３／４の大きさに形成し、第２部材２４４Ｌ、２４４Ｒの働き幅を屋根瓦６１の働き部５の略１／４の大きさに形成した場合にも、屋根瓦６１を上述の如く千鳥状に配設することが可能となるのである。
【００７８】
また、本実施の形態は、屋根設置部材４１の桁方向側方に配備される左右一対の役物部材の内、一方の役物部材の第１部材の働き幅を屋根瓦の働き部の略３／４の大きさに形成すると共に第２部材の働き幅を屋根瓦の働き部の略１／４の大きさに形成し、他方の役物部材の第１部材の働き幅を屋根瓦の働き部の略１／４の大きさに形成すると共に第２部材の働き幅を屋根瓦の働き部の略３／４の大きさに形成した場合にも、屋根瓦６１を上述の如く千鳥状に配設することが可能となるのである。
【００７９】
図４２〜図４７は、本発明の第７の実施の形態を示している。
【００８０】
該第７の実施の形態においても、役物部材２５０Ｌ、２５０Ｒの構成が上記第３の実施の形態とは異なるが、他の構成は上記第３の実施の形態と同じであるので、役物部材２５０Ｌ、２５０Ｒの構成についてのみ説明し、他の構成は上記第３の実施の形態と同じ符号を付してその説明を省略する。
図４２及び図４４に示す如く、本実施の形態において、屋根設置部材４１の桁方向側方に配備される役物部材２５０Ｌ、２５０Ｒの内、桁方向左側部に配備される左側の役物部材２５０Ｌは、階段状に重なり合った複数段（本実施の形態においては２段）の屋根瓦６１と屋根設置部材４１の間の屋根面２を覆う役物本体２５１Ｌと、該役物本体２５１Ｌと屋根設置部材４１の間の隙間に流れ込む雨水を受ける樋２５２Ｌとを備えている。
【００８１】
役物本体２５１Ｌは、屋根設置部材４１に沿って配備される第１部材２５３Ｌと、上段の屋根瓦６１に沿って配備される第２部材２５４Ｌと、下段の屋根瓦６１に沿って配備される第３部材２５５Ｌとを備えている。
第１部材２５３Ｌは、屋根設置部材４１の上面と同一高さを有する無底の箱形形状に形成されており、該屋根設置部材４１の軒側端部から棟側端部まで延伸されている。
また、図４６に示す如く、第１部材２５３Ｌの軒側右側壁には、逆Ｕ字状の連結部材２５６Ｌが配備されている。
【００８２】
また、第１部材２５３Ｌの右側部に前記樋２５２Ｌが形成され、該樋２５２Ｌは、前記アンダーラップ２２６Ｌ部及び水返し部２２７Ｌを有している。
また、第１部材２５３Ｌの左側部には、第３部材２５５Ｌの下側に廻り込む樋部２５７Ｌが形成されており、該樋部２５７Ｌの左側縁には水返し部２５８Ｌが形成されている。
図４４に示す如く、第２部材２５４Ｌは、無底の箱状に形成され、上段の屋根瓦６１の軒側端部から棟側端部までの働き長さを有している。
また、図４６に示す如く、第２部材２５４Ｌの右側部は、第１部材２５３Ｌの樋２５２Ｌに向けて延伸され、その先端部が内側に折り返されており、該先端部を前記連結部材２５６Ｌに勘合させることにより、第２部材２５４Ｌは第１部材２５３Ｌの軒側上面に取り付けられているのである。
【００８３】
また、第２部材２５４Ｌは、左側部に沿って上凸条部２５９Ｌが形成されており、該上凸条部２５９Ｌは、その上面が隣接する屋根瓦６１の波形凸部１０の上面と略面一となる高さを有している。
図４２及び図４４に示す如く、第３部材２５５Ｌは、無底の箱状に形成され、下段の屋根瓦６１の軒側端部から棟側端部までの働き長さを有している。
また、図４６に示す如く、第３部材２５５Ｌは、右側部が締結具を介して第１部材２５３Ｌの左側部に連結され、該第１部材２５３Ｌの樋部２５７Ｌを上側から覆っている。さらに、第３部材２５５Ｌは、左側部に沿って下凸条部２６０Ｌが形成されており、該下凸条部２６０Ｌは、その上面が隣接する屋根瓦６１の波形凸部１０の上面と略面一となる高さを有している。
【００８４】
なお、図４４に示す如く、第１部材２５３Ｌ及び第２部材２５４Ｌは、その働き幅が屋根瓦６１の働き部５の略１／４の大きさに形成されており、第３部材２５５Ｌは、その働き幅が屋根瓦６１の働き部５の略１／２の大きさに形成されている。
また、本実施の形態における該役物部材２５０Ｌの嵌合防水部２６１Ｌは、階段状の屋根瓦６１、６１の樋部９、９を上側から覆って該樋部９、９と嵌合している。
即ち、図４６に示す如く、該役物本体２５１Ｌの第２部材２５４Ｌ及び第３部材２５５Ｌの左側部には、各段の樋部９、９の形状に沿わせて切り欠かれた切り欠き部２６２Ｌ、２６３Ｌが形成されており、該切り欠き部２６２Ｌ、２６３Ｌを通じて各段の樋部９、９と第２部材２５４Ｌ及び第３部材２５５Ｌ内に収容することにより、段状の屋根瓦６１、６１と役物本体２５１Ｌとの間の防水性が確保されるのである。
【００８５】
図４３及び図４５に示す如く、屋根設置部材４１の桁方向右側部に配備される右側の役物部材２５０Ｒは、階段状に重なり合った複数段（本実施の形態においては２段）の屋根瓦６１と屋根設置部材４１の間の屋根面２を覆う役物本体２５１Ｒと、該役物本体２５１Ｒと屋根設置部材４１の間の隙間に流れ込む雨水を受ける樋２５２Ｒとを備えている。
該役物本体２５１Ｒは、屋根設置部材４１に沿って配備される第１部材２５３Ｒと、上段の屋根瓦６１に沿って配備される第２部材２５４Ｒと、下段の屋根瓦６１に沿って配備される第３部材２５５Ｒとを備えている。
【００８６】
第１部材２５３Ｒは、屋根設置部材４１の上面と同一高さを有する無底の箱形形状に形成されており、該屋根設置部材４１の軒側端部から棟側端部まで延伸されている。
また、図４７に示す如く、第１部材２５３Ｒの軒側左側壁には、逆Ｕ字状の連結部材２５６Ｒが配備されている。
また、第１部材２５３Ｒの左側部に前記樋２５２Ｒが形成され、該樋２５２Ｒは、前記アンダーラップ２２６Ｒ部及び水返し部２２７Ｒを有している。
また、第１部材２５３Ｒの右側部には、第３部材２５５Ｒの下側に廻り込む樋部２５７Ｒが形成されており、該樋部２５７Ｒの先端には水返し部２５８Ｒが形成されている。
【００８７】
図４５に示す如く、第２部材２５４Ｒは、無底の箱状に形成され、上段の屋根瓦６１の軒側端部から棟側端部までの働き長さを有している。
また、図４７に示す如く、第２部材２５４Ｒの左側部は、第１部材２５３Ｒの樋２５２Ｒに向けて延伸され、その先端部が内側に折り返されており、該先端部を前記連結部材２５６Ｒに嵌合させることにより、第２部材２５４Ｒは第１部材２５３Ｒの軒側上面に取り付けられているのである。
また、第２部材２５４Ｒは、右側部に沿って上凸条部２５９Ｒが形成されており、該上凸条部２５９Ｒは、その上面が隣接する屋根瓦６１の波形凸部１１の上面と略面一となる高さを有している。
【００８８】
図４３及び図４５に示す如く、第３部材２５５Ｒは、無底の箱状に形成され、下段の屋根瓦６１の軒側端部から棟側端部までの働き長さを有している。
また、図４７に示す如く、第３部材２５５Ｒは、左側部が締結具を介して第１部材２５３Ｒの右側部に連結され、第１部材２５３Ｒの樋部２５７Ｒを上側から覆っている。さらに、第３部材２５５Ｒは、右側部に沿って下凸条部２６０Ｒが形成されており、該下凸条部２６０Ｒは、その上面が隣接する屋根瓦６１の波形凸部１１の上面と略面一となる高さを有している。
【００８９】
なお、図４５に示す如く、第１部材２５３Ｒ及び第２部材２５４Ｒは、その働き幅が屋根瓦６１の働き部５の略１／４の大きさに形成されており、第３部材２５５Ｒは、その働き幅が屋根瓦６１の働き部５の略１／２の大きさに形成されている。
また、本実施の形態における該役物部材２５０Ｒの嵌合防水部２６１Ｒは、階段状の屋根瓦６１、６１の覆い部１２、１２の下側に廻り込んで該覆い部１２、１２と嵌合している。
即ち、図４７に示す如く、該役物部材２５０Ｒの第２部材２５４Ｒ及び第３部材２５５Ｒの右側部には、雨水を受けるべき樋状部２６２Ｒ、２６３Ｒが軒側端部から棟側端部に亘って形成されており、これら樋状部２６２Ｒ、２６３Ｒの上面が各段の屋根瓦６１の覆い部１２と対向することにより、段状の屋根瓦６１と役物本体２５１Ｒとの間の防水性が確保されるのである。
【００９０】
本実施の形態においても、役物部材２５０Ｌ、２５０Ｒは、単純な形状を有する複数の部材を組み合わせることにより複雑な形状に形成され、該役物部材２５０Ｌ、２５０Ｒの製造コストの削減が図られる。
また、屋根瓦６１と嵌合すべき第２部材２５４Ｌ、２５４Ｒ及び第３部材２５５Ｌ、２５５Ｒが第１部材２５３Ｌ、２５３Ｒから取り外し可能であるので、該第２部材２５４Ｌ、２５４Ｒ及び第３部材２５５Ｌ、２５５Ｒの働き幅を現場で微調整した後にこれら第２部材２５４Ｌ、２５４Ｒ及び第３部材２５５Ｌ、２５５Ｒを第１部材２５３Ｌ、２５３Ｒに取り付けることにより、現場単位で屋根設置部材４１及び屋根瓦６１との間の隙間を可及的に小さくした役物部材２５０Ｌ、２５０Ｒを形成することができ、施工性の向上が図られると共に屋根設置部材４１と段状の屋根瓦６１の間の防水性のさらなる向上が図られる。
【００９１】
以上、本発明の実施形態を詳述したが、本発明は上記第１〜第７の実施の形態に限定されるものではない。
【００９２】
例えば、役物部材の役物本体の働き幅は、屋根材３の働き部５の働き幅の１／３や１／１、或いは該働き部５の働き幅に無関係な大きさを有していても良く、屋根設置部材及び該屋根設置部材の桁方向側部に敷き列べられる屋根材３を軒側及び棟側に隣接する屋根材３に対して収まり良く敷き列べられるものであれば、如何なる大きさを有していても良い。
同様に、役物本体の働き長さは、階段状に重ね合わされた屋根材３の複数段に亘る大きさを有していても良く、屋根設置部材側部を軒側端部から棟側端部まで覆うものであれば、如何なる大きさを有していても良い。
【００９３】
また、役物部材の嵌合防水部は、屋根材３の樋部９の設置位置に合わせて各役物部材に形成されるものであって、例えば第１の実施の形態において、屋根瓦６の働き部５の桁方向右側に樋部９が形成されると共に働き部５の桁方向左側に覆い部１２が形成された場合、左側の役物部材２０Ｌの嵌合防水部２４Ｌが収容部２９を備え、右側の役物部材２０Ｒの嵌合防水部２４Ｒが樋状部２５を有することとなる。同様に、第３の実施の形態において、屋根瓦６の働き部５の桁方向左側に樋部９が形成されると共に働き部５の桁方向右側に覆い部１２が形成された場合、左側の役物部材２２０Ｌの嵌合防水部２２４Ｌが樋状部２２５を備え、右側の役物部材２２０Ｒの嵌合防水部２２４Ｒが収容部２２９を有することとなる。
【００９４】
また、役物部材は、銅、黄銅、青銅、その他の銅合金、アルミ合金、ステンレス合金、チタン合金、その他の金属、或いは他の金属合金等からなる鋼板にプレス加工を施すことによって形成されていてもよく、また、該鋼板に塗装や耐候フィルムをラミネートしたものから形成されていてもよく、さらには、鋳型に樹脂を注入することによって形成される樹脂製であっても良い。
また、屋根材３は、上述の如き屋根瓦６（６１）や半瓦８や平瓦形状のものに限定されることはなく、釉薬瓦（陶器瓦）や無釉瓦等の粘土系の瓦、天然スレートや彩色スレート等のスレート系の屋根材、プレスセメント瓦等のコンクリート系の屋根材、カラートタン、平葺きタイプ及び金属形成瓦等の金属系の屋根材及び非金属系の屋根材等を採用することが可能である。
【００９５】
また、屋根設置部材は、上述の如き太陽電池モジュールに限定されることはなく、天窓や換気口を形成するための枠部材や、雪止め金具を設けた屋根設置部材、または屋根材とは異なる他種の屋根材を採用することが可能である。
【図面の簡単な説明】
【００９６】
【図１】本発明の第１の実施の形態の屋根設置部材の桁方向左側部に配備される左側の役物部材の平面図である。
【図２】該役物部材の正面図である。
【図３】本発明の第１の実施の形態の屋根設置部材の桁方向右側部に配備される右側の役物部材の平面図である。
【図４】該役物部材の正面図である。
【図５】屋根設置部材の桁方向両側に役物部材及び屋根材を配設した状態を示す平面図である。
【図６】屋根設置部材の桁方向両側に役物部材及び屋根材を配設した状態を示す正面図である。
【図７】本発明の第１の実施の形態の屋根瓦の平面図である。
【図８】該屋根瓦の斜視図である。
【図９】本発明の第１の実施の形態の半瓦の平面図である。
【図１０】該半瓦の正面図である。
【図１１】本発明の第１の実施の形態の傾斜屋根の一部断面図である。
【図１２】該傾斜屋根の平面図である。
【図１３】本発明の第１の実施の形態の他の傾斜屋根の一部断面図である。
【図１４】本発明の第２の実施の形態の左側の役物部材の平面図である。
【図１５】該役物部材の正面図である。
【図１６】本発明の第２の実施の形態の右側の役物部材の平面図である。
【図１７】該役物部材の正面図である。
【図１８】屋根設置部材の桁方向両側に役物部材及び屋根材を配設した状態を示す平面図である。
【図１９】屋根設置部材の桁方向両側に役物部材及び屋根材を配設した状態を示す正面図である。
【図２０】左右一対の役物部材の働き幅を調整した状態を示す平面図である。
【図２１】左右一対の役物部材の働き幅を調整した状態を示す正面図である。
【図２２】本発明の第３の実施の形態の傾斜屋根の一部を示す斜視図である。
【図２３】該傾斜屋根の一部の構成を分解して示す斜視図である。
【図２４】該傾斜屋根の一部断面図である。
【図２５】該傾斜屋根の他の一部断面図である。
【図２６】左側の役物部材と該役物部材に隣接する屋根材及び屋根設置部材の一部を破断して示す断面図である。
【図２７】右側の役物部材と該役物部材に隣接する屋根材及び屋根設置部材の一部を破断して示す断面図である。
【図２８】本発明の第４の実施の形態の左側の役物部材の斜視図である。
【図２９】本発明の第４の実施の形態の右側の役物部材の斜視図である。
【図３０】該左側の役物部材の両側に屋根設置部材と屋根材を配設した状態を示す斜視図である。
【図３１】該右側の役物部材の両側に屋根設置部材と屋根材を配設した状態を示す斜視図である。
【図３２】本発明の第５の実施の形態の傾斜屋根の一部を示す斜視図である。
【図３３】該傾斜屋根の一部の構成を分解して示す斜視図である。
【図３４】該傾斜屋根の一部断面図である。
【図３５】該傾斜屋根の他の一部断面図である。
【図３６】左側の役物部材と該役物部材に隣接する屋根材及び屋根設置部材の一部を破断して示す断面図である。
【図３７】右側の役物部材と該役物部材に隣接する屋根材及び屋根設置部材の一部を破断して示す断面図である。
【図３８】本発明の第６の実施の形態の傾斜屋根の一部を示す斜視図である。
【図３９】該傾斜屋根の一部の構成を分解して示す斜視図である。
【図４０】本発明の第６の実施の形態の他の傾斜屋根の一部を示す斜視図である。
【図４１】該傾斜屋根の一部の構成を分解して示す斜視図である。
【図４２】本発明の第７の実施の形態の左側の役物部材の斜視図である。
【図４３】本発明の第７の実施の形態の右側の役物部材の斜視図である。
【図４４】該左側の役物部材の両側に屋根設置部材と屋根材を配設した状態を示す斜視図である。
【図４５】該右側の役物部材の両側に屋根設置部材と屋根材を配設した状態を示す斜視図である。
【図４６】左側の役物部材と該役物部材に隣接する屋根材及び屋根設置部材の一部を破断して示す断面図である。
【図４７】右側の役物部材と該役物部材に隣接する屋根材及び屋根設置部材の一部を破断して示す断面図である。
【符号の説明】
【００９７】
１    傾斜屋根
２    屋根面
２ｃ  桟材
３    屋根材
３ａ  屋根材列
４    屋根設置部材
４ａ  屋根設置部材列
５    働き部
６    屋根瓦
７    働き部
８    半瓦
９    樋部
１０  波形凸部
１１  波形凸部
１８  本体
１９  枠部材
２０Ｌ役物部材
２０Ｒ役物部材
２１Ｌ役物本体
２１Ｒ役物本体
２２Ｌ樋
２２Ｒ樋
２４Ｌ嵌合防水部
２４Ｒ嵌合防水部
２６Ｌアンダーラップ部
２６Ｒアンダーラップ部
２１０Ｌ役物部材
２１０Ｒ役物部材
２１１Ｌ役物本体
２１１Ｒ役物本体
２１２Ｌ第１覆い体
２１２Ｒ第１覆い体
２１３Ｌ第２覆い体
２１３Ｒ第２覆い体
２２０Ｌ役物部材
２２０Ｒ役物部材
２２１Ｌ役物本体
２２１Ｒ役物本体
２２２Ｌ樋
２２２Ｒ樋
２２５樋状部
２２９切り欠き部
２３０Ｌ役物部材
２３０Ｒ役物部材
２３１Ｌ役物本体
２３１Ｒ役物本体
２３２Ｌ樋
２３２Ｒ樋
２３３Ｌ屋根瓦連結部
２３３Ｒ屋根瓦連結部
２３４Ｌ屋根設置部材連結部
２３４Ｒ屋根設置部材連結部
２４０Ｌ役物部材
２４０Ｒ役物部材
２４１Ｌ役物本体
２４１Ｒ役物本体
２４２Ｌ樋
２４２Ｒ樋
２４３Ｌ第１部材
２４３Ｒ第１部材
２４４Ｌ第２部材
２４４Ｒ第２部材
２４５Ｌ連結部材
２４５Ｒ連結部材
２５０Ｌ役物部材
２５０Ｒ役物部材
２５１Ｌ役物本体
２５１Ｒ役物本体
２５２Ｌ樋
２５２Ｒ樋
２５３Ｌ第１部材
２５３Ｒ第１部材
２５４Ｌ第２部材
２５４Ｒ第２部材
２５５Ｌ第３部材
２５５Ｒ第３部材
２５６Ｌ連結部材
２５６Ｒ連結部材
【図１】
2006104852.tif 000003
【図２】
2006104852.tif 000004
【図３】
2006104852.tif 000005
【図４】
2006104852.tif 000006
【図５】
2006104852.tif 000007
【図６】
2006104852.tif 000008
【図７】
2006104852.tif 000009
【図８】
2006104852.tif 000010
【図９】
2006104852.tif 000011
【図１０】
2006104852.tif 000012
【図１１】
2006104852.tif 000013
【図１２】
2006104852.tif 000014
【図１３】
2006104852.tif 000015
【図１４】
2006104852.tif 000016
【図１５】
2006104852.tif 000017
【図１６】
2006104852.tif 000018
【図１７】
2006104852.tif 000019
【図１８】
2006104852.tif 000020
【図１９】
2006104852.tif 000021
【図２０】
2006104852.tif 000022
【図２１】
2006104852.tif 000023
【図２２】
2006104852.tif 000024
【図２３】
2006104852.tif 000025
【図２４】
2006104852.tif 000026
【図２５】
2006104852.tif 000027
【図２６】
2006104852.tif 000028
【図２７】
2006104852.tif 000029
【図２８】
2006104852.tif 000030
【図２９】
2006104852.tif 000031
【図３０】
2006104852.tif 000032
【図３１】
2006104852.tif 000033
【図３２】
2006104852.tif 000034
【図３３】
2006104852.tif 000035
【図３４】
2006104852.tif 000036
【図３５】
2006104852.tif 000037
【図３６】
2006104852.tif 000038
【図３７】
2006104852.tif 000039
【図３８】
2006104852.tif 000040
【図３９】
2006104852.tif 000041
【図４０】
2006104852.tif 000042
【図４１】
2006104852.tif 000043
【図４２】
2006104852.tif 000044
【図４３】
2006104852.tif 000045
【図４４】
2006104852.tif 000046
【図４５】
2006104852.tif 000047
【図４６】
2006104852.tif 000048
【図４７】
2006104852.tif 000049